(57)【要約】【課題】  防水構造を備えたキャスターを提供する。【解決手段】  キャスター本体や防水ブッシュ、ベアリング、垂直軸上蓋、垂直軸、T型ブッシュ、パッキン及びスナップリングが含まれる。防水ブッシュが、キャスター本体とベアリングとの間に位置するように、防水ブッシュとベアリングを、キャスター本体収納槽内に収納させ、防水ブッシュが、垂直軸上蓋がキャスター本体の頂部に覆うに位置し、垂直軸の下段を垂直軸上蓋やベアリング、キャスター本体及びT型ブッシュにに貫設した後、垂直軸のロック部をパッキンに貫設させ、スナップリングで係合すると、各部材とキャスター本体とが、可動自在に結合される。防水ブッシュの遮断凸縁が、垂直軸上蓋とキャスター本体間の閉鎖物になり、ベアリングが隔離され、キャスターに水が触れても、ベアリングの腐食を防止することができる。【選択図】図２
2013103511.tif 000002
【特許請求の範囲】
【請求項１】
キャスター本体、防水ブッシュ、ベアリング、垂直軸上蓋、垂直軸、T型ブッシュ、パッキング及びスナップリングからなる防水構造を有するキャスターであって、
上記キャスター本体に、ブッシュ及びベアリングが収納される収納槽が形成されてあり、上記収納槽は、中心部に、貫通する通孔が設けられてあり、上記防水ブッシュは、中心部に、ベアリングが貫設されるための貫通孔が形成されてあり、上記T型ブッシュにおいて、中心部に、垂直軸が貫設されるための貫通孔が形成されてあり、上記防水ブッシュとベアリングを、上記キャスター本体に形成された収納槽内に設置し、上記垂直軸上蓋を、キャスター本体の頂部から覆うようにセットすることにより、上記垂直軸の下段が、上記垂直軸上蓋の貫通孔と上記ベアリングの貫通孔、上記キャスター本体の通孔及び上記T型ブッシュの貫通孔に貫設された後、上記垂直軸のロック部を上記パッキングに貫設してから、上記スナップリングで固定し、各部材と上記キャスター本体とが、可動自在に結合されてなる防水構造を有するキャスターであり、
防水ブッシュにおいて、頂部に、遮断凸縁が形成され、防水ブッシュとベアリング、キャスター本体及び垂直軸上蓋が組合わせられた後、その遮断凸縁の頂面と底面が、それぞれ、上記垂直軸上蓋の底面と上記キャスター本体の頂面に当接し、上記垂直軸上蓋とキャスター本体との間隙を遮断することにより、ベアリングの内部への水分浸入の防止を可能とした構成からなる
ことを特徴とする防水構造を有するキャスター。
【発明の詳細な説明】
【技術分野】
【０００１】
本発明は、キャスターに関するものであり、さらに詳しくは、防水ブッシュと他の部材内に、ベアリングが完全に隔離されるように構成し、キャスターが、水に触れても、水がベアリングに接触することによる腐食が生じることがなく、耐用寿命を向上させることが可能な防水構造を備えたキャスターに関するものである。
【背景技術】
【０００２】
従来の、市販のシート用キャスター1には、図４に示すように、キャスター本体10、ブッシュ11、ベアリング12、垂直軸上蓋13、垂直軸14、T型ブッシュ15、パッキング16及びスナップリング17が含まれ、上記部品の組合わせにより、そのブッシュ11とベアリング12が、キャスター本体10に形成された収納槽101内に収納される。
【０００３】
また、ブッシュ11を、キャスター本体10とベアリング12の間に位置し、垂直軸上蓋13を、キャスター本体10の頂部から覆うように、垂直軸14の下部141が、垂直軸上蓋13とベアリング12、キャスター本体10及びT型ブッシュ15に貫設されることにより、垂直軸14のロック部142が、パッキング16に貫設され、スナップリング17でロックすると、各部材とキャスター本体10とが、可動自在に結合されるが、このようなキャスター1は、そのブッシュ11とベアリング12及び垂直軸上蓋13の間に、それぞれ、間隙が形成されるため、ベアリング12の保護が不十分となり、キャスター1が、不意に水に接触すると、水が容易に、ブッシュ11とベアリング12と垂直軸上蓋13の間隙から浸入して、ベアリング12に接触して腐食させ、キャスター1全体が使用できなくなるという問題があった。
【０００４】
また、特開２００５-２６３１５０号公報（以下、「特許文献１」という。）には、降雨、接地面から跳ね上げられる水や泥などが車輪の回転軸受部分やヨークの旋回軸受部分に外部から浸入して、これらの軸受部分を早期に腐蝕させることを防止するための提案として、台車の中心部へ貫通状態に固定一体化された垂直な旋回支軸と、その旋回支軸へボールベアリングを介して旋回自在に枢着された倒立Ｕ字型のヨークと、前記旋回支軸とヨーク旋回用ボールベアリングを下方からボトムシールキャップと、を要素とする防水キャスターにおいて、前記ボトムシールキャップをゴム、軟質合成樹脂などの弾性材から断面ほぼＵ字型に造形して、前記旋回支軸とヨーク旋回用ボールベアリングへ下方からかぶせ付け状態に密着一体化させることが、一部の構成として記載されている。
【０００５】
しかし、従来の提案を含め、かかる提案によれば、防水構造は複雑であり、十分な効果を奏するには保守においても大きな負担を要するなどのおそれがあった。
【特許文献１】特開２００５-２６３１５０号公報
【発明の概要】
【発明が解決しようとする課題】
【０００６】
従って、本発明の課題は、簡便な構成で水がベアリングに接触することを防止することにより、ベアリングの腐食の発生を抑制することができ、長期的に使用でき、耐用寿命を向上させることが可能な防水構造を有するキャスターを提供することにある。
【課題を解決するための手段】
【０００７】
そこで、本発明者は、前記の本発明の課題を解決するために、鋭意検討を重ねた結果、キャスター本体の収納槽に収容されるベアリングが貫設されるブッシュの上縁部に遮断突部を形成させることによりベアリングへの浸水を防止できることに着目し、かかる知見に基いて本発明に想到するに至った。
【０００８】
かくして、本発明によれば、キャスター本体、防水ブッシュ、ベアリング、垂直軸上蓋、垂直軸、T型ブッシュ、パッキング及びスナップリングからなる防水構造を有するキャスターであって、
上記キャスター本体に、ブッシュとベアリングが収納される収納槽が形成されてあり、上記収納槽は、中心部に、貫通する通孔が貫設されてあり、上記防水ブッシュにおいて、中心部に、ベアリングが貫設されるための貫通孔が設けられてあり、上記T型ブッシュにおいて、中心部に、垂直軸が貫設されるための貫通孔が設けられてあり、上記防水ブッシュとベアリングを、上記キャスター本体に設けられた収納槽内に設置させ、上記垂直軸上蓋を、キャスター本体の頂部から覆うようにセットすることにより、上記垂直軸の下部が、上記垂直軸上蓋の貫通孔と上記ベアリングの貫通孔、上記キャスター本体の通孔及び上記T型ブッシュの貫通孔に貫設された後、上記垂直軸のロック部を上記パッキングに貫設してから、上記スナップリングで固定し、各部材と上記キャスター本体とが、可動自在に結合される防水構造を有するキャスターであり、
防水ブッシュにおいて、頂部に、遮断凸縁が設けられ、防水ブッシュとベアリング、キャスター本体及び垂直軸上蓋が組合わせられた後、その遮断凸縁の頂面と底面が、それぞれ、上記垂直軸上蓋の底面と上記キャスター本体の頂面に当接し、上記垂直軸上蓋とキャスター本体との間隙を遮断することにより、ベアリング内部への水分の浸入の防止を可能とした構成からなることを特徴とする防水構造を有するキャスターが提供される。
【発明を実施するための最良の形態】
【０００９】
以下、図面を参照しながら、本発明の特徴や技術内容について、詳しく説明する。もっとも、それらの図面等は、参考や説明のためであり、本発明は、それらによって限定されるものではない。
【００１０】
本発明に係る防水構造を備えたキャスター2は、図１乃至図３に示すように、キャスター本体20と防水ブッシュ21、ベアリング22、垂直軸上蓋23、垂直軸24、T型ブッシュ25、パッキング26及びスナップリング27から構成される。
【００１１】
上記キャスター本体20は、垂直軸24の結合側の頂部に、防水ブッシュ21とベアリング22をセットするための収納槽201が形成される。
【００１２】
上記収納槽201は、中心部に、通孔202が貫通され、防水ブッシュ21は、中心部に、ベアリング22が貫設されるための貫通孔210が形成され、その頂部に、キャスター本体20とベアリング22との間に位置するように、リング状にL型の阻隔凸縁（隔離凸縁又は遮断凸縁）211（本明細書において、「遮断凸縁」という。）が形成されて、上記両者が結合する場合、サイズの調整及び消音に供される。また、同時に、その遮断凸縁211により、キャスター本体20と垂直軸上蓋23とが組合わせられることによる間隙が阻隔（隔離又は遮断）（本明細書において、「遮断」という。）される。
【００１３】
ベアリング22は、中心部に、垂直軸24が貫設されるための貫通孔220が形成される。垂直軸上蓋23は、鉄からなるものであり、中心部に、垂直軸24が貫設されるための貫通孔230が形成され、垂直軸24は、螺条部240と当接部241、下部242及びロック部243からなる。
【００１４】
T型ブッシュ25は、T型引き受け状で、中心部に、垂直軸24の下段242が貫設されるための貫通孔250が形成され、垂直軸24の下段242とキャスター本体20の下部を覆うようになっているため、垂直軸24とキャスター本体20とが、作動する時発生した騒音を解消することができる。
【００１５】
また、防水ブッシュ21が、キャスター本体20とベアリング22との間に位置するように、防水ブッシュ21とベアリング22が、キャスター本体20に設けられた収納槽201内に収納される。そして、垂直軸上蓋23で、キャスター本体20の頂部を覆い、垂直軸24の下段242が、垂直軸上蓋23の貫通孔230やベアリング22の貫通孔220、キャスター本体20の通孔202及びT型ブッシュ25の貫通孔250に貫設され、垂直軸24のロック部243がパッキング26に貫設されてから、スナップリング27を係合すると、各部材とキャスター本体20が、可動自在に結合される。これにより、防水ブッシュ21の頂部の遮断凸縁211の頂面、及び底面が、それぞれ、垂直軸上蓋23の底面とキャスター本体20の頂面に当接し、垂直軸上蓋23とキャスター本体20の間隙が遮断されて、ベアリング22が、防水ブッシュ21と他の部材内と完全に隔離される。
【００１６】
本発明によれば、図３に示すように、キャスター2が、水に接触しても、ベアリング22が、完全に、防水ブッシュ21と他の部材内に隔離又は遮断されるため、水が、ベアリング22に接触することがない。その結果、ベアリング22の腐食を防止することができ、キャスター2の耐用寿命が向上する。
【００１７】
以上の説明は、本発明のより良い実施例についてであり、本発明は、それらによって限定されるものではなく、本発明に係る特許の請求の範囲や明細書の内容に基づいて行った等価の変更や修正は、全てが、本発明の請求の範囲内に含まれる。
【図面の簡単な説明】
【００１８】
【図１】本発明の一実施形態による防水構造を備えたキャスターの斜視図である。
【図２】本発明の一実施形態による防水構造を備えたキャスターの分解斜視図である。
【図３】本発明の一実施形態による防水構造を備えたキャスターの断面図である。
【図４】従来のキャスターの分解斜視図である。
【図５】図４に示す従来のキャスターの断面図である。
【符号の説明】
【００１９】
1  キャスター
10  キャスター本体
101  収納槽
11  ブッシュ
12  ベアリング
13  垂直軸上蓋
14  垂直軸
141  下段
142  ロック部
15  T型ブッシュ
16  パッキング
17  スナップリング
2  キャスター
20  キャスター本体
201  収納槽
202  通孔
21  防水ブッシュ
210  貫通孔
211  遮断凸縁
22  ベアリング
220  貫通孔
23  垂直軸上蓋
230  貫通孔
24  垂直軸
240  螺条部
241  当接部
242  下段
243  ロック部
25  T型ブッシュ
250  貫通孔
26  パッキング
27  スナップリング
【図１】
2013103511.tif 000003
【図２】
2013103511.tif 000004
【図３】
2013103511.tif 000005
【図４】
2013103511.tif 000006
【図５】
2013103511.tif 000007